(57)【要約】      （修正有）【課題】衣服の着替えや収納が必要となる場面・場所において既存のハンガーパイプに吊下げるだけで、容易に吊下げスペースを拡張することができるとともに、フックを介してあらゆる場所に設置することができ、ハンガーのみならずふきんやタペストリーをも吊下げることができるストレージスペースエクステンダーを提供する。【解決手段】筒状のバー本体１２と、筒状のバー本体に挿通されるとともに筒状のバー本体の両側から所定の長さが引き出された懸垂用紐状体１３と、懸垂用紐状体の両端部に取り付けられた係止具１４と、からなる。【選択図】図３
0003232167.tif 000002
【実用新案登録請求の範囲】
【請求項１】
筒状のバー本体と、
前記筒状のバー本体に挿通されるとともに前記筒状のバー本体の両側から所定の長さが引き出された懸垂用紐状体と、
前記懸垂用紐状体の両端部に取り付けられた係止具と、
からなることを特徴とするストレージスペースエクステンダー。
【請求項２】
前記筒状のバー本体が円筒状、角柱状のいずれかの形状からなることを特徴とする請求項１に記載のストレージスペースエクステンダー。
【請求項３】
前記筒状のバー本体の筒状の内周面に所定の間隔で複数の滑り止め用溝を形成するとともに、前記筒状のバー本体の両側端部に弾性素材からなる滑り止め用リングを備えてなることを特徴とする請求項１または請求項２のいずれかに記載のストレージスペースエクステンダー。
【請求項４】
前記懸垂用紐状体が小径リング状部材を複数連結して形成されており、
所定の前記小径リング状部材を前記係止具に係止させることにより、前記懸垂用紐状体の長さを調整させて前記筒状のバー本体の上下位置を自在に決定することができるようにしたことを特徴とする請求項１ないし請求項３のいずれかに記載のストレージスペースエクステンダー。
【請求項５】
前記懸垂用紐状体が小径リング状部材を複数連結して形成されており、
かつ、前記懸垂用紐状体の両側端部に取り付けられた前記係止具の近傍において、前記懸垂用紐状体の長さを調節するためのリング状係止部材が１以上形成されており、
前記リング状係止部材を前記係止具に係止させることにより、前記懸垂用紐状体の長さを調整させて前記筒状のバー本体の上下位置を自在に決定することができるようにしたことを特徴とする請求項１ないし請求項３のいずれかに記載のストレージスペースエクステンダー。
【請求項６】
前記懸垂用紐状体を構成する小径リング状部材が磁性体からなり、前記懸垂用紐状体の両側端部に取り付けられた前記係止具どうしを接近させた際には、前記係止具それぞれから吊下げられた前記懸垂用紐状体どうしが吸着して一体となるようにしたことを特徴とする請求項１ないし請求項５のいずれかに記載のストレージスペースエクステンダー。
【考案の詳細な説明】
【技術分野】
【０００１】
この考案は、フックを介してあらゆる場所に設置することができ、衣服等が掛けられたハンガーやふきん、タペストリー等を吊下げることができるストレージスペースを得ることができる、ストレージスペースエクステンダーに関するものである。
【背景技術】
【０００２】
衣服等が掛けられたハンガーを吊下げるハンガーパイプは、一般家屋のクローゼットやホテル等の宿泊施設、その他衣服の着替えや収納が必要となる場面・場所においては、ごく当たり前に設置されている状況にある。このハンガーパイプは、クローゼット等のハンガーパイプの設置場所において、通常は、クローゼット等の収納スペース内の上方の高い位置に、ハンガーパイプの長さ方向が略水平となるよう１本又は複数本が平行して設置されている。
【０００３】
従来、この種のハンガーパイプは、丈の長短様々な衣類がハンガーを介して吊り下げられるため、衣類の下部が床に接触しないよう、十分に高い位置に設置される傾向にある。また、ハンガーパイプを上下２段に配設するような場合であっても、吊下げ可能な衣服の種類を増やすために十分に上下の間隔を確保する等して、対策をとられているものもある。
そして、吊下げる衣類の量に応じて、ハンガーパイプ部分を延長等して、吊下げスペースを拡張することができるようにしてあるものも知られている。
また、簡易組立式のクローゼットハンガーをもちいて、新たな吊下げスペースを確保することができるようにしてあるものも知られている。
【先行技術文献】
【特許文献】
【０００４】
【特許文献１】特になし。
【考案の概要】
【考案が解決しようとする課題】
【０００５】
しかしながら、上記の延長可能ハンガーパイプでは、そもそも延長機構を備えたハンガーパイプでなければ延長することができず、一般家屋やホテル等の宿泊施設、その他衣服の着替えや収納が必要となる場面・場所において既に設置されているハンガーパイプの多くはこのような延長機構を備えていないため、延長機構を備えたハンガーパイプに付け替えしなければ吊下げスペースを拡張することができないという事情がある。
また、簡易組立式のクローゼットハンガーでは、吊下げスペースを拡張することを目的とした場合にクローゼットハンガーを組み立てなければならず、また既存のクローゼット等と異なる場所に設置することとなって居住空間の一部を圧迫してすることになる。
【０００６】
そこで、この考案は、一般家屋やホテル等の宿泊施設、その他衣服の着替えや収納が必要となる場面・場所においては、クローゼット等の既存のハンガーパイプに吊下げるだけで、容易に吊下げスペースを拡張することができるとともに、フックを介してあらゆる場所に設置することができ、ハンガーのみならずふきんやタペストリー等をも吊下げることができるストレージスペースエクステンダーを提供することを課題とするものである。
【課題を解決するための手段】
【０００７】
上記の課題を解決するために、本考案に係るストレージスペースエクステンダーは、筒状のバー本体と、前記筒状のバー本体に挿通されるとともに前記筒状のバー本体の両側から所定の長さが引き出された懸垂用紐状体と、前記懸垂用紐状体の両端部に取り付けられた係止具とからなることを特徴とするものである。
【０００８】
本考案に係るストレージスペースエクステンダーにおいて、前記筒状のバー本体が円筒状、角柱状のいずれかの形状からなることをも特徴とするものである。
【０００９】
本考案に係るストレージスペースエクステンダーにおいて、前記筒状のバー本体の筒状の内周面に所定の間隔で複数の滑り止め用溝を形成するとともに、前記筒状のバー本体の両側端部に弾性素材からなる滑り止め用リングを備えてなることをも特徴とするものである。
【００１０】
本考案に係るストレージスペースエクステンダーにおいて、前記懸垂用紐状体が小径リング状部材を複数連結して形成されており、所定の前記小径リング状部材を前記係止具に係止させることにより、前記懸垂用紐状体の長さを調整させて前記筒状のバー本体の上下位置を自在に決定することができるようにしたことをも特徴とするものである。
【００１１】
本考案に係るストレージスペースエクステンダーにおいて、前記懸垂用紐状体が小径リング状部材を複数連結して形成されており、かつ、前記懸垂用紐状体の両側端部に取り付けられた前記係止具の近傍において、前記懸垂用紐状体の長さを調節するためのリング状係止部材が１以上形成されており、前記リング状係止部材を前記係止具に係止させることにより、前記懸垂用紐状体の長さを調整させて前記筒状のバー本体の上下位置を自在に決定することができるようにしたことをも特徴とするものである。
【００１２】
本考案に係るストレージスペースエクステンダーにおいて、前記懸垂用紐状体を構成する小径リング状部材が磁性体からなり、前記懸垂用紐状体の両側端部に取り付けられた前記係止具どうしを接近させた際には、前記係止具それぞれから吊下げられた前記懸垂用紐状体どうしが吸着して一体となるようにしたことをも特徴とするものである。
【考案の効果】
【００１３】
この考案においては、上記のように、前記懸垂用紐状体の両側端部に設けた係止具をクローゼット等に設けられたハンガーパイプ等の横架部材に係止させた際に、前記係止具どうしを所定幅に引き離すと、前記筒状のバー本体が水平状態を維持して吊り下げることができるので、必要な時のみ容易に新たなストレージスペースを得ることができる。
また、前記ハンガーパイプに限らず、前記各係止具を取り付ける箇所に高低差があっても、前記筒状のバー本体を水平に維持して設置することができるので、前記係止具を介して、あらゆる場所に設置することができる。したがって、前記筒状のバー本体には、設置場所に応じてハンガーに限らず、ふきんやタペストリー等をも吊下げることができるのである。
【００１４】
本考案に係るストレージスペースエクステンダーの不使用時には、前記係止具どうしを略同位置まで引き寄せることにより、前記筒状のバー本体が略垂直状態を維持して吊り下げられるため、ハンガーの吊下げの邪魔とならない。さらに、本考案に係るストレージスペースエクステンダーの前記懸垂用紐状体を構成する小径リング状部材を磁性体とすることにより、前記係止具どうしを略同位置まで引き寄せた際に、前記係止具それぞれから吊下げられた前記懸垂用紐状体どうしが吸着して一体となることで、本考案に係るストレージスペースエクステンダーの不使用時における省スペース化を確実かつ十分なものとすることができる。
【図面の簡単な説明】
【００１５】
【図１】この考案のストレージスペースエクステンダーの第１の実施例を示す概略正面図である。
【図２】この考案のストレージスペースエクステンダーの第１の実施例において、ハンガーパイプ等の横架部材に係止具を係止させて吊下げた状態を示す概略正面図である。
【図３】この考案のストレージスペースエクステンダーの第１の実施例の実施の形態を示す概略正面図である。
【図４】この考案のストレージスペースエクステンダーの第１の実施例の、懸垂用紐状体を構成する小径リング状部材を係止具に係止して、筒状のバー本体の水平位置を上方に移動させた状態を示す概略正面図である。
【図５】この考案のストレージスペースエクステンダーの第１の実施例の、不使用時の概略正面図である。
【図６】この考案のストレージスペースエクステンダーの第１の実施例において、不使用時に磁性体からなる小径リング状部材から構成される懸垂用紐状体どうしを吸着させた状態の概略正面図である。
【図７】この考案のストレージスペースエクステンダーの第１の実施例において、各係止具の取付位置に高低差がある場合の設置状態の概略正面図である。
【図８】この考案のストレージスペースエクステンダーの第２の実施例を示す概略正面図である。
【図９】この考案のストレージスペースエクステンダーの第２の実施例において、ハンガーパイプ等の横架部材に係止具を係止させて吊下げた状態を示す概略正面図である。
【図１０】この考案のストレージスペースエクステンダーの第２の実施例の実施の形態を示す概略正面図である。
【図１１】この考案のストレージスペースエクステンダーの第２の実施例の、懸垂用紐状体を構成する小径リング状部材を係止具に係止して、筒状のバー本体の水平位置を上方に移動させた状態を示す概略正面図である。
【図１２】この考案のストレージスペースエクステンダーの第２の実施例の、不使用時の概略正面図である。
【図１３】この考案のストレージスペースエクステンダーおいて、（ａ）は第１の実施例の筒状のバー本体の要部拡大図、（ｂ）は第２実施例の筒状のバー本体の要部拡大図である。
【考案を実施するための形態】
【００１６】
本考案の実施の形態を図面を用いて詳細に説明する。
図１ないし図７は、この考案の実施の形態にかかるスペースエクステンダーの第１実施例を示している。本考案の第１実施例に係るストレージスペースエクステンダー１１は、衣類用ハンガーを吊下げるための筒状のバー本体１２と、前記筒状のバー本体１２に挿通されるとともに前記筒状のバー本体１２の両側から所定の長さが引き出された懸垂用紐状体１３と、前記懸垂用紐状体１３の両側端部に取り付けられた係止具１４とからなる。
【００１７】
前記筒状のバー本体１２は、円筒状、角柱状のいずれかの形状からなり、筒状の中空内部に前記懸垂用紐状体１３を挿通してあるとともに、前記筒状のバー本体１２の長さ方向の両側開口部１２ａ，１２ｂから、それぞれ前記懸垂用紐状体１３を所定の長さが引き出すようにしてある。
このような構成とすることにより、前記筒状のバー本体１２は、前記懸垂用紐状体１３の周囲を前記懸垂用紐状体１３の長さ方向に沿って移動自在となっている。
【００１８】
また、前記筒状のバー本体１２は、設置場所や吊下げるハンガーの素材・形状等の事情を考慮して、適宜円筒状または角柱状の形状を採用することができる。図においては直線的な円筒状としてあるが、もちろん波状の形状とすることもできる。
さらに、前記筒状のバー本体１２は、図１３（ａ）に示すように、その筒状の内周面に所定の間隔で複数の滑り止め溝１２ｂを形成し、加えて前記筒状のバー本体１２の両端部に、弾性部材からなる滑り止め用リング１２ｄを取り付けることもできる。このようにすることで、前記筒状のバー本体１２と、前記懸垂用紐状体１３の摩擦を高めて、前記筒状のバー本体１２が前記懸垂用紐状体１３に対して横滑りしないようにして、強固に水平状態を維持することができる。
【００１９】
前記懸垂用紐状体１３は、小径リング状部材１３ａを複数連結して形成されているものであり、上述のとおり、前記筒状のバー本体１２の中空内部に挿通されるとともに、前記筒状のバー本体１２の両側開口部１２ａ，１２ｂから所定の長さが引き出してある。また、前記懸垂用紐状体１３の両側端部１３ｂ，１３ｃには、それぞれ係止具１４が取り付けてあり、クローゼット等のハンガーパイプ２１に係止させて吊下げることができるようにしてある。
図において前記懸垂用紐状体１３は、小径リング状部材１３ａを複数連結して形成された金属製のチェーン部材としてあるが、金属製に限らず、十分な強度を備えてあれば樹脂製のチェーン部材やひも、ロープ等とすることもできる。
【００２０】
また、前記懸垂用紐状体１３は、図において小径リング状部材１３ａを複数連結して形成された金属製のチェーン部材としてあるが、前記筒状のバー本体１２が水平状態で維持された上、衣服が掛けられたハンガーを前記筒状のバー本体１２に吊下げると、前記筒状のバー本体１２に荷重がかかることとなる。このとき、前記懸垂用紐状体１３を凹凸形状を備えたチェーン部材としておくことで、前記筒状のバー本体１２の両側開口部１２ａ，１２ｂと前記懸垂用紐状体１３とが当接部分において係合することにより、前記筒状のバー本体１２の位置ずれを防止することができるようにしてある。
もちろん、前記懸垂用紐状体１３はチェーン部材にかぎられるものではなく、同様の作用効果を奏するひも、ロープその他の紐状体を採用することができることはいうまでもない。
【００２１】
なお、本考案に係るストレージスペースエクステンダー１１は、前記懸垂用紐状体１３の両側端部１３ｂ，１３ｃにそれぞれ取り付けられた係止具１４を、クローゼット等のハンガーパイプ２１に係止させて吊下げることにより設置するものであるが、本考案に係るストレージスペースエクステンダー１１の使用時に際しては、図２、図３に示すように、前記係止具１４間の間隔を前記筒状のバー本体１２の長さ方向の幅と同程度とすることにより、前記筒状のバー本体１２が前記懸垂用紐状体１３の長さ方向の略中間位置において、水平状態を維持することができるようになるのである。したがって、本考案に係るストレージスペースエクステンダー１１の使用時に際しては、極めて容易な操作によってハンガーを吊下げるスペースを拡張することができるとともに、その新規の拡張されたストレージスペースは前記ハンガーパイプ２１の下部に形成されるので、ハンガーパイプから横方向に拡張することなく、どのような場所の既設のストレージスペースにも適用することができるのである。
【００２２】
前記係止具１４は、上述のとおり、前記懸垂用紐状体１３の両側端部１３ｂ，１３ｃに取り付けられている。図において、前記係止具１４はＳ字フック形状としてある。これは、Ｓ字形状の上部フック部分１４ａにおいて、クローゼット等のハンガーパイプに係止することができるとともに、Ｓ字形状の下部フック部分１４ｂにおいて、図４に示すように、前記懸垂用紐状体１３を構成する前記小径リング状部材１３ａの任意の箇所を前記下部フック部分１４ｂに係止させて、前記懸垂用紐状体１３の長さ調整、すなわち、前記筒状のバー本体１２の位置調整を行うことができるという点で好適な形状である。
もちろん、前記係止具１４の形状はＳ字フック形状に限られるものではなく、クローゼット等のハンガーパイプに係止することができるとともに、前記小径リング状部材１３ａの任意の箇所を係止することができる形状であればよい。
【００２３】
一方、本考案に係るストレージスペースエクステンダー１１の不使用時においては、図５に示すように、前記係止具１４どうしをほぼ接触させる程度に近接させるとともに、使用者の手等により前記筒状のバー本体１２を垂直方向にたてるようにすると、前記筒状のバー本体１２が略垂直状態を維持して保持されるようになる。
したがって、本考案に係るストレージスペースエクステンダー１１の不使用時においては、極めて容易な操作によって、本考案に係るストレージスペースエクステンダー１１を省スペースに収納しておくことができるようになっている。
【００２４】
また、前記懸垂用紐状体１３を構成する前記小径リング状部材１３ａを磁性体とすることにより、本考案に係るストレージスペースエクステンダー１１の不使用時においては、図６に示すように、前記懸垂用紐状体１３どうしが吸着するので、極めて容易な操作によって、本考案に係るストレージスペースエクステンダー１１を確実に、かつ十分省スペースに収納しておくことができるのである。もちろん、前記小径リング状部材１３ａは、本考案に係るストレージスペースエクステンダー１１の使用時において、前記懸垂用紐状体１３どうしを誰でも容易に引き離せるほどの磁力を備えた磁性体にしておけばよいことはいうまでもない。
【００２５】
なお、図７に示すように、一方の前記係止具１４と他方の前記係止具１４がそれぞれ係止する位置に高低差Ａがある場合であっても、前記筒状のバー本体１２を水平状態に維持することができる。
また、設置場所に応じて、前記係止具１４に前記小径リング状部材１３ａを係止することによっても、前記筒状のバー本体１２の上下位置を任意の位置に調整することができる。
したがって、本考案に係るストレージスペースエクステンダー１１は、前記ハンガーパイプ２１のほか、キッチン等の前記各係止具１４，１４を係止することのできる場所であれば、場所を問わず設置することができるのである。
【００２６】
図８ないし図１２は、この考案の実施の形態にかかるスペースエクステンダーの第２実施例を示している。本考案に係るストレージスペースエクステンダー３１は、衣類用ハンガーを吊下げるための筒状のバー本体３２と、前記筒状のバー本体３２に挿通されるとともに前記筒状のバー本体３２の両側から所定の長さが引き出された懸垂用紐状体３３と、前記懸垂用紐状体３３の両側端部に取り付けられた係止具３４とからなる。
【００２７】
前記筒状のバー本体３２は、円筒状、角柱状のいずれかの形状からなり、筒状の中空内部に前記懸垂用紐状体３３を挿通してあるとともに、前記筒状のバー本体３２の長さ方向の両側開口部３２ａ，３２ｂから、それぞれ前記懸垂用紐状体３３を所定の長さが引き出すようにしてある。
このような構成とすることにより、前記筒状のバー本体３２は、前記懸垂用紐状体３３の周囲を前記懸垂用紐状体３３の長さ方向に沿って移動自在となっている。
【００２８】
また、前記筒状のバー本体３２は、設置場所や吊下げるハンガーの素材・形状等の事情を考慮して、適宜円筒状または角柱状の形状を採用することができる。図においては直線的な円筒状としてあるが、もちろん波状の形状とすることもできる。
さらに、前記筒状のバー本体３２は、図１３（ｂ）に示すように、その筒状の内周面に所定の間隔で複数の滑り止め溝３２ｃを形成し、加えて前記筒状のバー本体３２の両端部に、弾性部材からなる滑り止め用リング３２ｄを取り付けることもできる。このようにすることで、前記筒状のバー本体３２と、前記懸垂用紐状体３３の摩擦を高めて、前記筒状のバー本体３２が前記懸垂用紐状体３３に対して横滑りしないようにして、強固に水平状態を維持することができる。
【００２９】
前記懸垂用紐状体３３は、小径リング状部材３３ａを複数連結して形成されているものであり、上述のとおり、前記筒状のバー本体３２の中空内部に挿通されるとともに、前記筒状のバー本体３２の両側開口部３２ａ，３２ｂから所定の長さが引き出してある。また、前記懸垂用紐状体３３の両側端部３３ｂ，３３ｃには、それぞれ係止具３４が取り付けてあり、クローゼット等のハンガーパイプ４１に係止させて吊下げることができるようにしてある。
図において前記懸垂用紐状体３３は、前記小径リング状部材１３ａを複数連結して形成された金属製のチェーン部材としてあるが、金属製に限らず、十分な強度を備えてあれば樹脂製のチェーン部材やひも、ロープ等の紐状部材とすることもできる。
また、前記懸垂用紐状体３３の両側端部３３ｂ，３３ｃの所定位置には、長さ調整用のリング状係止部材３５を取り付けてある。
【００３０】
また、前記懸垂用紐状体３３は、図において小径リング状部材３３ａを複数連結して形成された金属製のチェーン部材としてあるが、前記筒状のバー本体３２が水平状態で維持された上、衣服が掛けられたハンガーを前記筒状のバー本体３２に吊下げると、前記筒状のバー本体３２に荷重がかかることとなる。このとき、前記懸垂用紐状体３３を凹凸形状を備えたチェーン部材としておくことで、前記筒状のバー本体３２の両側開口部３２ａ，３２ｂと前記懸垂用紐状体３３とが当接部分において係合することにより、前記筒状のバー本体３２の位置ずれを防止することができるようにしてある。もちろん、前記懸垂用紐状体３３はチェーン部材にかぎられるものではなく、同様の作用効果を奏するひも、ロープ等のその他の紐状体を採用することができることはいうまでもない。
【００３１】
なお、本考案に係るストレージスペースエクステンダー３１は、前記懸垂用紐状体３３の両側端部３３ｂ，３３ｃにそれぞれ取り付けられた係止具３４を、クローゼット等のハンガーパイプに係止させて吊下げることにより設置するものであるが、本考案に係るストレージスペースエクステンダー３１の使用時に際しては、図９、図１０に示すように、前記係止具３４間の間隔を前記筒状のバー本体３２の長さ方向の幅と同程度とすることにより、前記筒状のバー本体３２が前記懸垂用紐状体３３の長さ方向の略中間位置において、水平状態を維持することができるようになるのである。したがって、本考案に係るストレージスペースエクステンダー３１の使用時に際しては、極めて容易な操作によってハンガーを吊下げるスペースを拡張することができ、既存のハンガーパイプ４１のハンガーを吊下げるスペースのほかに、前記ハンガーパイプ４１の下部に新規のハンガーを吊下げるスペースを容易に得ることができるのである。
【００３２】
一方、本考案に係るストレージスペースエクステンダー３１の不使用時においては、図１１に示すように、前記係止具３４どうしを略接触させる程度に近接させることにより、前記筒状のバー本体３２が略垂直状態を維持して保持されるようになる。
したがって、本考案に係るストレージスペースエクステンダー３１の不使用時においては、極めて容易な操作によって、本考案に係るストレージスペースエクステンダー３１を省スペースに収納しておくことができるようになっている。
なお、上述の第１実施例と同様に、前記懸垂用紐状体３３を構成する前記小径リング状部材１３ａを磁性体とすることで、上述の第１実施例と同様の効果を奏することができることはいうまでもない。
【００３３】
前記係止具３４は、上述のとおり、前記懸垂用紐状体３３の両側端部３３ｂ，３３ｃに取り付けられている。図において、前記係止具３４はＳ字フック形状としてある。これは、Ｓ字形状の上部フック部分３４ａにおいて、クローゼット等のハンガーパイプに係止することができるとともに、Ｓ字形状の下部フック部分３４ｂにおいて、前記リング状係止部材３５を係止して、前記懸垂用紐状体３３の長さ調整、すなわち、前記筒状のバー本体３２の位置調整を行うことができるという点で好適な形状である。
もちろん、前記係止具３４の形状はＳ字フック形状に限られるものではなく、クローゼット等のハンガーパイプに係止することができるとともに、前記リング状係止部材３５を係止することができる形状であればよい。
【００３４】
前記リング状係止部材３５は、上述のとおり、前記懸垂用紐状体３３の一方の端部３３ｂの近傍において１以上形成されるとともに、他方の端部３３ｃの近傍の対応する位置において１以上形成されるようにしてある。図においては、前記懸垂用紐状体３３の一方の端部３３ｂの近傍において、所定の間隔で３箇所にリング状係止部材３５を形成するとともに、他方の端部１３ｃの対応する位置にリング状係止部材３５を３箇所形成してある。
このような構成とすることで、前記両側端部３３ｂ，３３ｃの近傍に形成された、相互に対応するリング状係止部材３５を前記係止具３４に係止することで容易に前記懸垂用紐状体３３の長さを短縮させることができるとともに、前記筒状のバー本体３２と前記懸垂用紐状体３３の位置関係を変えることなく、前記筒状のバー本体３２の水平状態を維持しながら、前記筒状のバー本体３２を上方位置に移動させることができるようになるのである。
【００３５】
なお、本考案に係るストレージスペースエクステンダーは、上述の実施の形態に示したものに限定されず、その要旨を変更しない範囲において適宜変更して実施することができることはいうまでもいない。
【００３６】
本考案に係るストレージスペースエクステンダー１１，３１は、上述の構成としたことにより、次の作用効果を得ることができる。
（ａ）使用時には、係止具１４間、係止具３１間の間隔を所定幅に広げるだけで、筒状のバー本体を水平状態に維持することができるので、極めて容易な操作でハンガーを吊下げるスペースを拡張することができる。
（ｂ）懸垂用紐状体１３，３３の両側の係止具１４，３４がそれぞれ高さの異なる位置に係止した場合であっても、筒状のバー本体を水平状態に維持することができ、設置環境を問わず、適用することができる。
（ｃ）不使用時には、係止具１４どうし、係止具３４どうしを近接させるとともに、筒状のバー本体を手で立たせるようにするだけで、筒状のバー本体をほぼ垂直状態に維持することができるので、極めて容易な操作で省スペースに収納することができる。
（ｄ）既存のハンガーパイプや竿等の横架部材、あるいは各係止具の取付位置に高低差がある場合であっても、場所を選ばずあらゆる場所に取付可能であり、ハンガーのみならず、ふきんやタオル、タペストリー等、使用者の要請に対応して様々な物品を懸架して使用することができる。
（ｅ）既存のハンガーパイプや竿等の横架部材、あるいは各係止具の取付位置に高低差がある場合であっても、場所を選ばずあらゆる場所に取付可能であり、新規なストレージスペースを容易に形成することができるので、追加工事等が不要で、場面・場所を問わず直ちに適用することができる。
【産業上の利用可能性】
【００３７】
以上の記載より明らかなように、本考案に係るストレージスペースエクステンダーは、一般家屋やホテル等の宿泊施設の既存のクローゼット等のハンガーパイプに係止して適用することができるとともに、洗濯干し場や洗面所、その他ハンガー等の吊下げ部材を吊下げる必要のある場面・場所であればどこでも適用することができることは言うまでもない。
【符号の説明】
【００３８】
１１  ストレージスペースエクステンダー
１２  筒状のバー本体が
１２ａ，１２ｂ  開口部
１２ｃ  滑り止め用溝
１２ｄ  滑り止め用リング
１３  懸垂用紐状体
１３ａ  小径リング状部材
１３ｂ，１３ｃ  端部
１４  係止具
１４ａ  上部フック部分
１４ｂ  下部フック部分
２１  ハンガーパイプ
３１  ストレージスペースエクステンダー
３２  筒状のバー本体が
３３ａ，３２ｂ  開口部
３２ｃ  滑り止め用溝
３２ｄ  滑り止め用リング
３３  懸垂用紐状体
３３ａ  小径リング状部材
３３ｂ，１３ｃ  端部
３４  係止具
３４ａ  上部フック部分
３４ｂ  下部フック部分
３５  リング状係止部材
４１  ハンガーパイプ
Ａ  高低差
【図１】
0003232167.tif 000003
【図２】
0003232167.tif 000004
【図３】
0003232167.tif 000005
【図４】
0003232167.tif 000006
【図５】
0003232167.tif 000007
【図６】
0003232167.tif 000008
【図７】
0003232167.tif 000009
【図８】
0003232167.tif 000010
【図９】
0003232167.tif 000011
【図１０】
0003232167.tif 000012
【図１１】
0003232167.tif 000013
【図１２】
0003232167.tif 000014
【図１３】
0003232167.tif 000015